(57)【要約】      （修正有）【課題】蓄電装置の過充電または過放電を確実に防ぐことができる技術を提供する。【解決手段】蓄電装置パックは、充放電可能な二次電池と、二次電池の充放電を制御する制御部とを備えている。二次電池は、電池ケース４１と、電池ケースに収容された電極組立体と、電池ケースに固定され、電極組立体と通電する負極端子４３２とを備えている。二次電池は、電池ケース内で電極組立体と負極端子との間に配置され、電池ケース内の圧力に応じて電極組立体と負極端子との間の通電を遮断する電流遮断装置６０を備えている。電流遮断装置は、電池ケース内に配置され、電池ケース内の圧力が所定の圧力値以上になったときに電極組立体と負極端子との間の通電を遮断するように変形する変形板６１を備えている。蓄電装置パックは、変形板の変形を検知する歪みゲージ１２を更に備えている。制御部は、歪みゲージ１２による検知に基づいて二次電池の充電又は放電を遮断する。【選択図】図５
2015191714.tif 000002
【特許請求の範囲】
【請求項１】
蓄電装置と、
前記蓄電装置の充放電を制御する制御部と、を備え、
前記蓄電装置は、
ケースと、
前記ケースに収容された電極組立体と、
前記ケースに固定され、前記電極組立体と通電する電極端子と、
前記ケース内で前記電極組立体と前記電極端子との間に配置され、前記ケース内の圧力に応じて前記電極組立体と前記電極端子との間の通電を遮断する電流遮断装置と、を備え、
前記電流遮断装置は、
前記ケース内に配置され、前記ケース内の圧力が所定の圧力値以上になったときに前記電極組立体と前記電極端子との間の通電を遮断するように変形する変形板を備える蓄電装置パックであって、
前記変形板の変形を検知するセンサを更に備え、
前記制御部は、前記センサによる検知に基づいて前記蓄電装置の充電又は放電を遮断する、蓄電装置パック。
【請求項２】
前記センサは、前記変形板に取り付けられた歪みゲージを備え、前記歪みゲージにより前記変形板の変形を検知する請求項１に記載の蓄電装置パック。
【請求項３】
前記変形板が屈曲部を有しており、前記屈曲部に前記歪みゲージが取り付けられている請求項２に記載の蓄電装置パック。
【請求項４】
前記電極端子は貫通孔を有しており、
前記歪みゲージは、前記変形板に取り付けられた素子部と、前記素子部に接続されたゲージリードとを備えており、
前記ゲージリードが前記貫通孔に挿入されて前記電極端子の外部に引き出されている、請求項２又は３に記載の蓄電装置パック。
【請求項５】
前記センサは、前記変形板が変形したときに閉回路を形成する検知回路を備え、前記検知回路により前記変形板の変形を検知する請求項１に記載の蓄電装置パック。
【請求項６】
前記検知回路は、前記変形板が変形したときにオンになる検知スイッチを備えている請求項５に記載の蓄電装置パック。
【請求項７】
前記検知回路は、前記制御部に接続された第１検知リードと第２検知リードを含み、前記変形板が変形したときに、前記第１検知リードと前記変形板、及び前記第２検知リードと前記変形板とがそれぞれ電気的に接続されることによって閉回路を形成する、請求項５または請求項６に記載の蓄電装置パック。
【請求項８】
前記蓄電装置は二次電池である、請求項１〜７に記載の蓄電装置パック。
【発明の詳細な説明】
【技術分野】
【０００１】
本明細書に開示の技術は、蓄電装置パックに関する。
【背景技術】
【０００２】
特許文献１にはリチウムイオン二次電池が開示されている。特許文献１のリチウムイオン二次電池は、正極シートと、負極シートと、正極シートと負極シートの間に配置されたセパレータとを備えている。正極シート、負極シート、およびセパレータは、ラミネートフィルム外装体に収容されている。リチウムイオン二次電池の側面には歪変化を感知する歪ゲージが配置されている。
【先行技術文献】
【特許文献】
【０００３】
【特許文献１】特開２００８−１７１５７９号公報
【発明の概要】
【発明が解決しようとする課題】
【０００４】
特許文献１のリチウムイオン二次電池では、歪ゲージによってリチウムイオン二次電池の寸法変化を測定し、寸法変化が所定変化量を超えた時点で歪ゲージが発する信号によって、充電または放電を停止する。この技術では、リチウムイオン電池の外装体の変形量により充電又は放電を停止するため、外装体の種類によっては変形量が小さく、過充電又は過放電を防止することができない場合がある。そこで本明細書は、蓄電装置の過充電または過放電を確実に防ぐことができる技術を提供することを目的とする。
【課題を解決するための手段】
【０００５】
本明細書に開示する蓄電装置パックは、蓄電装置と、蓄電装置の充放電を制御する制御部と、を備えている。蓄電装置は、ケースと、ケースに収容された電極組立体と、ケースに固定され、電極組立体と通電する電極端子と、を備えている。また、蓄電装置は、ケース内で電極組立体と電極端子との間に配置され、ケース内の圧力に応じて電極組立体と電極端子との間の通電を遮断する電流遮断装置を備えている。電流遮断装置は、ケース内に配置され、ケース内の圧力が所定の圧力値以上になったときに電極組立体と電極端子との間の通電を遮断するように変形する変形板、を備えている。蓄電装置パックは、変形板の変形を検知するセンサを更に備えている。制御部は、センサによる検知に基づいて蓄電装置の充電又は放電を遮断する。
【０００６】
このような構成によれば、蓄電装置に充電あるいは放電しているときにケース内の圧力が所定の圧力値以上になると、電流遮断装置の変形板が変形し、電流遮断装置が電極組立体と電極端子の間の通電を遮断する。これにより、蓄電装置の充電あるいは放電が遮断される。また、変形板が変形すると、センサがその変形を検知し、制御部がセンサの検知に基づいて蓄電装置の充電あるいは放電を遮断する。このように、ケース内の圧力に応じて変形板が変形すると、電流遮断装置が電極組立体と電極端子の間の通電を遮断して蓄電装置の充電あるいは放電を遮断すると共に、制御部がセンサによる検知に基づいて蓄電装置の充電あるいは放電を遮断する。したがって、蓄電装置の充電あるいは放電を電流遮断装置および制御部により二重で遮断することができるので、蓄電装置の過充電または過放電を確実に防ぐことができる。
【０００７】
上記の蓄電装置パックにおいて、センサは、変形板に取り付けられた歪みゲージを備え、歪みゲージにより変形板の変形を検知してもよい。
【０００８】
また、変形板が屈曲部を有しており、屈曲部に歪みゲージが取り付けられていてもよい。
【０００９】
また、電極端子は貫通孔を有していてもよい。また、歪みゲージは、変形板に取り付けられた素子部と、素子部に接続されたゲージリードとを備えていてもよい。また、ゲージリードが貫通孔に挿入されて電極端子の外部に引き出されていてもよい。
【００１０】
あるいは、上記の蓄電装置パックにおいて、センサは、変形板が変形したときに閉回路を形成する検知回路を備え、検知回路により変形板の変形を検知してもよい。
【００１１】
また、検知回路は、変形板が変形したときにオンになる検知スイッチを備えていてもよい。
【００１２】
また、検知回路は、制御部に接続された第１検知リードと第２検知リードを含んでもよい。また、変形板が変形したときに、第１検知リードと変形板、及び第２検知リードと変形板とがそれぞれ電気的に接続されることによって閉回路を形成してもよい。
【００１３】
また、蓄電装置は二次電池であってもよい。
【図面の簡単な説明】
【００１４】
【図１】実施形態に係る蓄電装置パックの回路図を示す。
【図２】実施形態に係る二次電池の断面図を示す。
【図３】図２の要部IIIの拡大図を示す。
【図４】導通状態における図２の要部IVの拡大図を示す。
【図５】非導通状態における図２の要部IVの拡大図を示す。
【図６】実施形態に係る蓄電装置パックのブロック図を示す。
【図７】他の実施形態に係る二次電池の非導通状態における要部の拡大図を示す。
【図８】他の実施形態に係る二次電池の導通状態における要部の拡大図を示す。
【図９】他の実施形態に係るセンサの回路図を示す。
【発明を実施するための形態】
【００１５】
以下、実施形態について添付図面を参照して説明する。図１に示すように、蓄電装置パック１０は、複数の二次電池４０（蓄電装置の一例）と、二次電池４０に接続された保護回路２０とを備えている。蓄電装置パック１０は、例えば電気自動車やハイブリッド自動車に搭載される。蓄電装置パック１０は、例えば自動車に搭載された充電器や負荷に接続される。
【００１６】
二次電池４０としては例えばリチウムイオン二次電池を用いることができる。二次電池４０は充放電可能である。複数の二次電池４０は直列に接続されている。二次電池４０の数は特に限定されるものではないが、本実施形態では２つの二次電池４０を用いている。二次電池は、蓄電装置の一例である。
【００１７】
二次電池４０は、図２に示すように、電池ケース４１（ケースの一例）と、電池ケース４１に収容された電極組立体４２と、電池ケース４１に固定された電極端子４３（正極端子４３１および負極端子４３２）とを備えている。電極組立体４２と電極端子４３は、通常時には通電している。また、二次電池４０は、電極組立体４２と電極端子４３の間に配置された電流遮断装置６０を備えている。
【００１８】
電池ケース４１は、略直方体形状の箱型部材である。電池ケース４１は、金属製であり、例えばステンレスやアルミニウムから形成されている。電池ケース４１の内部には、電解液が収容されている。電池ケース４１の上部には、正極用の開口部７０と、負極用の開口部７１が形成されている。正極用の開口部７０には正極端子４３１が固定される。負極用の開口部７１には、負極端子４３２が固定される。
【００１９】
電解液は、非水系の溶媒に支持塩（電解質）を溶解させた非水電解液であることが好ましい。非水系の溶媒として、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）等の鎖状エステルを含んでいる溶媒、酢酸エチル、プロピロン酸メチルなどの溶媒、又はこれらの混合液を使用することができる。また、支持塩（電解質）として、例えば、ＬｉＰＦ６、ＬｉＢＦ４、ＬｉＡｓＦ６等を使用することができる。電解液には、芳香族系のモノマー添加剤が含まれている。
【００２０】
電極組立体４２は電池ケース４１の内部に配置されている。電極組立体４２と電池ケース４１の間には絶縁部材５１が配置されている。絶縁部材５１は電極組立体４２と電池ケース４１を絶縁している。
【００２１】
電極組立体４２は、正極シートと、負極シートと、正極シートと負極シートの間に配置されたセパレータとを備えている。電極組立体４２は、複数の正極シート、複数の負極シート、および複数のセパレータが積層されている。正極シート及び負極シートは、集電体と、集電体上に形成されている活物質層とを備えている。また、電極組立体４２は、正極集電タブ４５および負極集電タブ４６を備えている。正極集電タブ４５は正極シートの上端部に形成されている。負極集電タブ４６は負極シートの上端部に形成されている。正極集電タブ４５および負極集電タブ４６は上方に突出している。正極集電タブ４５は正極リード４７に固定されている。負極集電タブ４６は負極リード４８に固定されている。
【００２２】
電極組立体４２には、電解液が含浸されている。電極組立体４２に過電圧が加わると、電解液に含まれるモノマー添加剤が重合し、水素ガスが発生する。これによって、電池ケース４１の内部の圧力が上昇する。また、二次電池４０を通常の状態で充電・放電する場合でも、微量な炭化水素ガスや二酸化炭素ガスが発生する。
【００２３】
正極リード４７は正極集電タブ４５と正極端子４３１に接続されている。正極リード４７を介して正極集電タブ４５と正極端子４３１が電気的に接続されている。正極リード４７と電池ケース４１の間には絶縁部材５２が配置されている。絶縁部材５２は正極リード４７と電池ケース４１を絶縁している。
【００２４】
負極リード４８は負極集電タブ４６と接続部材６４に接続されている。接続部材６４は電流遮断装置６０を介して負極端子４３２に電気的に接続されている。よって、負極リード４８、接続部材６４および電流遮断装置６０を介して、負極集電タブ４６と負極端子４３２が電気的に接続されている。これにより、電極組立体４２と負極端子４３２を接続する通電経路が形成されている。電流遮断装置６０はこの通電経路を遮断可能である。電流遮断装置６０の構成については後述する。負極リード４８と電池ケース４１の間には絶縁部材５２が配置されている。絶縁部材５２は負極リード４８と電池ケース４１を絶縁している。
【００２５】
電極端子４３（正極端子４３１および負極端子４３２）は、電池ケース４１の上部に固定されている。正極端子４３１および負極端子４３２は、電池ケース４１の外部に突出している。正極端子４３１と負極端子４３２は間隔をあけて配置されている。正極端子４３１および負極端子４３２は、電極組立体４２に電気的に接続されている。
【００２６】
図３に示すように、正極端子４３１は、電池ケース４１にかしめ固定されている。正極端子４３１は、円柱部８２、基底部８４、および固定部８５を備えている。円柱部８２は正極用の開口部７０に挿入されている。基底部８４は環状に形成されている。基底部８４は円柱部８２の下端部に固定されている。基底部８４は電池ケース４１の内部に配置されている。固定部８５は環状に形成されている。固定部８５は円柱部８２の上端部に固定されている。固定部８５は電池ケース４１の外部に配置されている。正極端子４３１は、固定部８５と基底部８４が上下に加圧されることにより電池ケース４１に固定されている。
【００２７】
正極端子４３１は、正極外部端子３０１に接触している。正極端子４３１は、正極外部端子３０１を介して保護回路２０に接続されている。正極外部端子３０１と電池ケース４１の間には絶縁部材９１が配置されている。絶縁部材９１は正極外部端子３０１と電池ケース４１を絶縁している。また、正極端子４３１と電池ケース４１の間には絶縁部材９２が配置されている。絶縁部材９２は正極端子４３１と電池ケース４１を絶縁している。
【００２８】
図４に示すように、負極端子４３２は、電池ケース４１にかしめ固定されている。負極端子４３２は、円筒部７２、基底部７４、および固定部７５を備えている。円筒部７２は負極用の開口部７１に挿入されている。円筒部７２には貫通孔７３が形成されている。基底部７４は環状に形成されている。基底部７４は円筒部７２の下端部に固定されている。基底部７４は電池ケース４１の内部に配置されている。基底部７４には凹部７６が形成されている。凹部７６は貫通孔７３と連通している。固定部７５は環状に形成されている。固定部７５は円筒部７２の上端部に固定されている。固定部７５は電池ケース４１の外部に配置されている。負極端子４３２は、固定部７５と基底部７４が上下に加圧されることにより電池ケース４１に固定されている。
【００２９】
負極端子４３２は、負極外部端子３０２に接触している。負極端子４３２は、負極外部端子３０２を介して保護回路２０に接続されている。負極外部端子３０２と電池ケース４１の間には絶縁部材９３が配置されている。絶縁部材９３は負極外部端子３０２と電池ケース４１を絶縁している。また、負極端子４３２と電池ケース４１の間には絶縁部材９４が配置されている。絶縁部材９４は負極端子４３２と電池ケース４１を絶縁している。
【００３０】
次に、電流遮断装置の構成について説明する。図４および図５に示すように、電流遮断装置６０は、変形板６１、破断板６２および固定部材６３を備えている。電流遮断装置６０は電池ケース４１の内部に配置されている。図４は非導通の状態を示しており、図５は導通の状態を示している。
【００３１】
変形板６１は、金属製のダイアフラムである。変形板６１は導電性を有している。変形板６１は、図４に示すように、導通時には下方に凸の状態である。変形板６１は、図５に示すように、非導通時には上方に凸の状態である。変形板６１は、電池ケース４１の内部の圧力が所定の電流遮断圧力値以上になると、下方に凸の状態から上方に凸の状態に変形するように構成されている。所定の電流遮断圧力値は、特に限定されるものではなく、適宜変更可能である。
【００３２】
変形板６１は負極端子４３２の下に配置されている。変形板６１は導電性を有している。変形板６１は負極端子４３２に固定されている。変形板６１の外周部６１２は負極端子４３２の基底部７４の外周部７４１に接触している。変形板６１の中央部６１１は破断板６２の中央部６２１に接触している。変形板６１は屈曲部６１３を有している。屈曲部６１３は、中央部６１１の周囲に形成されており、中央部６１１に対して屈曲している。
【００３３】
破断板６２は、平面視すると円形の金属製の部材である。破断板６２は導電性を有している。破断板６２は変形板６１の下に配置されている。破断板６２は変形板６１に固定されている。破断板６２の中央部６２１は変形板６１の中央部６１１に接触している。破断板６２には溝部６２３が形成されている。破断板６２の溝部６２３は中央部６２１の周囲に形成されている。破断板６２は、溝部６２３において強度が弱くなっている。破断板６２は溝部６２３を起点にして破断可能である。破断板６２は、図４に示すように、導通時には破断していないが、図５に示すように、非導通時には溝部６２３を起点にして破断している。破断板６２は、電池ケース４１の内部の圧力が所定の電流遮断圧力値以上になると、破断するように構成されている。所定の電流遮断圧力値は、特に限定されるものではなく、適宜変更可能である。
【００３４】
破断板６２の外周部６２２と変形板６１の外周部６１２との間には絶縁部材９５が配置されている。絶縁部材９５は、破断板６２の外周部６２２と変形板６１の外周部６１２とを絶縁している。破断板６２の外周部６２２には接続部材６４が接続されている。接続部材６４は図外の負極リード４８に接続されている。
【００３５】
固定部材６３は、負極端子４３２、変形板６１、破断板６２および絶縁部材９５をかしめ固定している。固定部材６３の内側には絶縁部材７７が配置されている。絶縁部材７７は、負極端子４３２、変形板６１および破断板６２を固定部材６３から絶縁している。
【００３６】
電流遮断装置６０では、破断板６２が破断していないときは、変形板６１および破断板６２が導通している。これにより、負極端子４３２と電極組立体４２が通電する。一方、電池ケース４１の内部の圧力が所定の電流遮断圧力値以上になると、変形板６１が上方に凸の状態に変形すると共に破断板６２が破断する。破断板６２が破断すると、変形板６１および破断板６２が非導通となる。これにより、負極端子４３２と電極組立体４２の通電が遮断される。
【００３７】
電流遮断装置６０の変形板６１には歪みゲージ１２（センサの一例）が取り付けられている。歪みゲージ１２は、公知の構成を採ることができ、対象物の歪みを検知することにより、間接的に対象物の変形を検知することができる。歪みゲージ１２は、変形板６１の変形を検知可能である。歪みゲージ１２は、素子部３１と、素子部３１に接続されたゲージリード３２とを備えている。素子部３１は変形板６１の表面に貼り付けられている。本実施形態では素子部３１は変形板６１の屈曲部６１３に取り付けられているが、素子部３１が貼り付けられる位置は特に限定されるものではない。
【００３８】
ゲージリード３２は貫通孔７３に挿入されている。ゲージリード３２は貫通孔７３の外部に引き出されている。ゲージリード３２は保護回路２０の制御部２３に接続されている。保護回路２０の構成については後述する。歪みゲージ１２は、変形板６１が下方に凸の状態から上方に凸の状態に変形したときに、その変形を検知する。歪みゲージ１２が変形板６１の変形を検知すると、歪みゲージ１２から保護回路２０の制御部２３に検知信号が送られる。
【００３９】
次に、保護回路の構成について説明する。図１に示すように、保護回路２０は、充電スイッチ２１、放電スイッチ２２、制御部２３、および接続端子２４（正極接続端子２４１および負極接続端子２４２）を備えている。充電スイッチ２１は二次電池４０と直列に接続されている。充電スイッチ２１は充電経路上に配置されている。充電スイッチ２１をオフにすることにより二次電池４０の充電を遮断することができる。充電スイッチ２１は、トランジスタおよびダイオードが並列に接続された構成である。充電スイッチ２１は制御部２３に接続されている。充電スイッチ２１は、二次電池４０の負極端子４３２と蓄電装置パック１０の負極接続端子２４２との間に配置されている。
【００４０】
放電スイッチ２２は二次電池４０と直列に接続されている。放電スイッチ２２は放電経路上に配置されている。放電スイッチ２２をオフにすることにより二次電池４０の放電を遮断することができる。放電スイッチ２２は、トランジスタおよびダイオードが並列に接続された構成である。放電スイッチ２２は制御部２３に接続されている。放電スイッチ２２は、二次電池４０の負極端子４３２と蓄電装置パック１０の負極接続端子２４２との間に配置されている。
【００４１】
制御部２３は二次電池４０と並列に接続されている。制御部２３は二次電池４０の充放電を制御する。より詳細には、図６のブロック図に示すように、制御部２３は充電スイッチ２１のオン／オフを制御する。制御部２３は、充電スイッチ２１をオフにすることにより二次電池４０の充電を遮断することができる。また、制御部２３は放電スイッチ２２のオン／オフを制御する。制御部２３は、放電スイッチ２２をオフにすることにより二次電池４０の放電を遮断することができる。制御部２３は歪みゲージ１２による検知に基づいて充放電を制御する。
【００４２】
保護回路２０の正極接続端子２４１は、二次電池４０の正極端子４３１に電気的に接続されている。保護回路２０の負極接続端子２４２は、二次電池４０の負極端子４３２に電気的に接続されている。接続端子２４（正極接続端子２４１および負極接続端子２４２）を介して外部から二次電池４０を充電することができる。また、接続端子２４（正極接続端子２４１および負極接続端子２４２）を介して二次電池４０から外部に放電することができる。
【００４３】
上記のような構成を備える蓄電装置パック１０では、二次電池４０に充電しているときに電極組立体４２に過電圧が加わるとガスが発生する。ガスが発生すると、電極組立体４２が収容されている電池ケース４１の内部の圧力が上昇する。電池ケース４１の内部の圧力が上昇すると、電流遮断装置６０の変形板６１および破断板６２が上方に押圧される。そして、電池ケース４１の内部の圧力が所定の電流遮断圧力値以上になると、変形板６１が下方に凸の状態から上方に凸の状態に変形する。また、破断板６２が破断する。破断板６２が破断すると、変形板６１と破断板６２が非導通の状態となり、負極端子４３２と電極組立体４２の間の通電が遮断される。その結果、二次電池４０への充電が遮断される。
【００４４】
また、電流遮断装置６０の変形板６１が変形すると、歪みゲージ１２が変形板６１の変形を検知する。歪みゲージ１２が変形を検知すると、検知信号が歪みゲージ１２から保護回路２０の制御部２３に送られる。制御部２３は検知信号に基づいて充電スイッチ２１をオフにする。このように、二次電池４０に充電しているときに充電スイッチ２１をオフにすることにより充電を遮断する。
【００４５】
このように、電池ケース４１の内部の圧力に応じて変形板６１が変形すると共に破断板６２が破断する。これにより、電極組立体４２と負極端子４３２との間の通電が遮断され、二次電池４０への充電が遮断される。更に、歪みゲージ１２による検知に基づいて制御部２３が充電スイッチ２１をオフにすることにより二次電池４０への充電が遮断される。このように、二次電池４０への充電を二重で遮断することにより、確実に過充電を防ぐことができる。また、仮に変形板６１が振動等によってさらに変形して電極組立体４２と負極端子４３２との間が再導通したとしても、充電スイッチ２１がオフされているため、二次電池４０への充電が再開されることはない。その結果、意図しない充電が再開され、二次電池４０が過充電されることを防止することができる。
【００４６】
また、変形板６１の屈曲部６１３に歪みゲージ１２の素子部３１が取り付けられているので、変形板６１の変形を確実に検知することができる。また、負極端子４３２が貫通孔７３を備え、歪みゲージ１２のゲージリード３２が貫通孔７３に挿入されている。これにより、歪みゲージ１２を電流遮断装置６０内の変形板６１に取り付けながら、歪みゲージ１２からの信号を電池ケース４１外に取り出すことができる。
【００４７】
以上、一実施形態について説明したが、具体的な態様は上記実施形態に限定されるものではない。以下の説明において、上述の説明における構成と同様の構成については同一の符号を付して説明を省略する。上記実施形態では二次電池４０に充電しているときに充電スイッチ２１をオフにすることにより充電を遮断する構成について説明したが、この構成に限定されるものではない。他の実施系形態では、二次電池４０から放電しているときに放電スイッチ２２をオフにすることにより放電を遮断する構成であってもよい。すなわち、制御部２３が、歪みゲージ１２による検知に基づいて放電スイッチ２２をオフにする。これにより、確実に放電を遮断することができる。
【００４８】
また、上記実施形態では、歪みゲージ１２を用いて変形板６１の変形を検知する構成であったが、この構成に限定されるものではない。他の実施形態では、変形板６１の変形を検知するセンサとして、図７，８に示す検知回路１４が用いられる。図７は非導通状態を示しており、図８は導通状態を示している。図７，８に示すように、検知回路１４は、検知リード３７（第１検知リード３７１および第２検知リード３７２）および検知スイッチ３５を備えている。
【００４９】
検知リード３７（第１検知リード３７１および第２検知リード３７２）は金属製であり、導電性を有している。検知リード３７は貫通孔７３に挿入されている。検知リード３７は貫通孔７３の外部に引き出されている。検知リード３７の先端には接点３６が形成されている。検知リード３７は変形板６１の上方に配置されている。接点３６は変形板６１の上方に位置している。第１検知リード３７１および第２検知リード３７２は、対向して配置されている。
【００５０】
接点３６と変形板６１により検知スイッチ３５が形成されている。図７に示すように、変形板６１が下方に凸の状態のときは、変形板６１が接点３６から離間している。変形板６１が接点３６から離間しているときは、検知スイッチ３５が開いている（オフになっている）。一方、図８に示すように、変形板６１が上方に凸の状態に変形したときは、変形板６１が接点３６に接触する。変形板６１が接点３６に接触することにより検知スイッチ３５が閉じる（オンになる）。検知回路１４は、変形板６１が上方に凸の状態に変形したとき、すなわち、検知スイッチ３５がオンになったときに閉回路を形成する。検知回路１４は、検知スイッチ３５がオンになることにより変形板６１の変形を検知する。
【００５１】
図９に示すように、検知リード３７（第１検知リード３７１および第２検知リード３７２）は、保護回路２０の制御部２３に接続されている。検知回路１４では、変形板６１が変形し、検知スイッチ３５がオンになると、閉回路が形成されて制御部２３に電流が流れる。制御部２３に電流が流れると、制御部２３は充電スイッチ２１をオフにする。あるいは、制御部２３は放電スイッチ２２をオフにする。変形板６１が変形すると、第１検知リード３７１と変形板６１および第２検知リード３７２と変形板６１とがそれぞれ電気的に接続される。すなわち、第１検知リード３７１の接点３６および第２検知リード３７２の接点３６がそれぞれ変形板６１に接触する。これにより、閉回路が形成される。
【００５２】
上記のような構成を備える蓄電装置パック１０では、変形板６１が変形すると、変形板６１が接点３６に接触することにより検知スイッチ３５がオンになる。これにより、変形板６１の変形を検知することができる。検知スイッチ３５がオンになると検知回路１４が閉回路になり、制御部２３に電流が流れる。制御部２３は、電流が流れると充電スイッチ２１あるいは放電スイッチ２２をオフにする。このように、二次電池４０が充電あるいは放電しているときに、充電スイッチ２１あるいは放電スイッチ２２をオフにすることにより充電あるいは放電を遮断する。
【００５３】
また、変形板６１の変形を検知するためのセンサの構成は上記実施形態に限定されるものではない。他の実施形態として、例えばレーザー式のセンサ等を用いることもできる。
【００５４】
また、上記実施形態では破断板６２の上に変形板６１が配置されている構成であったが、この構成に限定されるものではない。他の実施形態では、電流遮断装置６０が、破断板６２の上に配置された変形板６１（第１変形板）の他に破断板６２の下に配置された変形板（第２変形板）を更に備えていてもよい。この構成では、破断板６２の下に配置された変形板（第２変形板）が変形すると、破断板６２および変形板６１（第１変形板）が上方に押圧される。破断板６２および変形板６１（第１変形板）が上方に押圧されると、変形板６１（第１変形板）が上方に凸の状態に変形すると共に破断板６２が破断する。これによって、通電を遮断することができる。本明細書に開示の技術をこのような電流遮断装置に適用することによっても、より確実に充電又は放電を遮断することができる。
【００５５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５６】
１０；蓄電装置パック
１２；歪みゲージ
１４；検知回路
２０；保護回路
２１；充電スイッチ
２２；放電スイッチ
２３；制御部
２４；接続端子
３１；素子部
３２；ゲージリード
３５；検知スイッチ
３６；接点
３７；検知リード
４０；二次電池
４１；電池ケース
４２；電極組立体
４３；電極端子
４５；正極集電タブ
４６；負極集電タブ
４７；正極リード
４８；負極リード
５１；絶縁部材
５２；絶縁部材
６０；電流遮断装置
６１；変形板
６２；破断板
６３；固定部材
６４；接続端子
７０；開口部
７１；開口部
７２；円筒部
７３；貫通孔
７４；基底部
７５；固定部
７６；凹部
７７；絶縁部材
８２；円柱部
８４；基底部
８５；固定部
９１；絶縁部材
９２；絶縁部材
９３；絶縁部材
９４；絶縁部材
９５；絶縁部材
２４１；正極接続端子
２４２；負極接続端子
３０１；正極外部端子
３０２；負極外部端子
４３１；正極端子
４３２；負極端子
６１１；中央部
６１２；外周部
６１３；屈曲部
６２１；中央部
６２２；外周部
６２３；溝部
７４１；外周部
【図１】
2015191714.tif 000003
【図２】
2015191714.tif 000004
【図３】
2015191714.tif 000005
【図４】
2015191714.tif 000006
【図５】
2015191714.tif 000007
【図６】
2015191714.tif 000008
【図７】
2015191714.tif 000009
【図８】
2015191714.tif 000010
【図９】
2015191714.tif 000011